(57)【要約】      （修正有）【課題】斜度を利用し屋根雪などを効率よく、しかも安全に降ろす事ができる雪流し器具を提供する。【解決手段】長さ４メートルの２本の金属製の物干しバー１と、ポリカーボネート樹脂で製造された１．８メートルの２枚の波板２で構成され、長さ方向に連結された二枚の波板の幅方向各側部に、物干しバーをそれぞれ連結させる。広い屋根や片流れの長い屋根、二階建てで一階二階に屋根のある家屋の屋根雪を効率よく降ろす為には、四組以上を作成し組み合わせれば直線方向、ジグザグ方向、逆方向へも雪を流すことができる。【選択図】図１
0003185042.tif 000002
【実用新案登録請求の範囲】
【請求項１】
重さのある屋根の雪を斜度を利用し滑らせて降ろす器具で、長さ４メ−トルの金属製の物干しバー二本とポリカーボネート樹脂で製造された１．８メ−トルの波板二枚の組み合わせで構成された雪流し器具。
【請求項２】
請求項１に記載の雪流し器具において雪流し器具一組だけでは広い屋根や片流れの長い屋根、二階建てで一階二階に屋根のある家屋の屋根雪を効率よく降ろす為には不足するので、四組以上を作成しこれらの組み合わせで直線方向、ジグザグ方向、逆方向へ雪を流すための雪流し器具。
【請求項３】
請求項１及び請求項２において補助具として簡単な梯子形式のものと各雪流し器具の流れ防止棒を作成し作業の効率を高める為の図２と図３に記載の補助具。
【考案の詳細な説明】
【技術分野】
【０００１】
斜度を利用し考案の名称の略称「雪流し器具」で屋根雪などを効率よく、しかも安全に降ろす事ができる器具である。細くて長く、多少弾力性のある金属製で４メートルの物干しバ−２本と軽くて割れにくいポリカーボネート樹脂で製造された１．８メートルの波板２枚で構成された「雪流し器具」の特性を活用するもので、特にポリカーボネートの波板は雪の流れが抜群であることを付け加えておく。
【背景技術】
【０００２】
一組の雪流し器具は長さが４メートルあるのでＡ場所とＢ場所が離れていても雪流し器具が橋の役目も担うことができるので、Ａ場所からＢ場所へ雪を流すことが可能である。
【０００３】
何枚かの雪流し器具をつぎたして、直線方向、ジグザグ方向、段差がある場所では逆方向への流し方も可能である。
【０００４】
屋根雪などをトラックに積み込む場合は，屋根雪を一箇所に集中して流した方が効率のよい作業の方法であるが、（０００３)の方法を利用すれば簡単にできる。
【０００５】
屋根雪を降ろすとき周りの空き地が広く、降ろした雪を他の場所へ移動しなくてもよい場合、家屋の必要な場所を除いて満遍なく降ろすことも（０００３）の方法で可能である。
【０００６】
左右に方向を変化させるいわゆるジグザク方向については雪流し器具の両側につけ    てある物干しバーの雪の流れの先端部分を(１．８メートルの波板の重なり工合いでどちらが先端かがわかる) 同じ長さにしないで、四組つくったら二組は左を短く、残りの二組は右を短くしておくと雪が効率よく流れてくれるように並べることができる。
備考1 （０００６）は言葉の説明だけでは分りにくいと思われるので後で図に示して説明する。
【先行技術文献】
【特許文献】
【０００７】
【特許文献１】特開２００２−２４２３９９Ａ公報                      （Ｐ２００２−２４２３Ａ)    屋根の雪降ろし機具で滑走帯へ雪を引き込むため、操作腕で雪を引き寄せ屋根の斜度  を利用して滑走案内に誘導し地上に落下させる方法であるが,新雪か気温が極度に低い地方のさらさらした雪質でなければ通用しない雪降ろしの方法である。青森県の豪雪地帯でも屋根の雪降ろしは一冬に一、二回位が普通で、家屋もその地方の積雪量に合わせた設計で建築されているので特別の豪雪でもない限り三回目の雪降ろしは珍しいことである。  ここで一冬二回位の雪降ろしに触れたのは，新雪だけの雪降ろしでなく何回にもわたって降り積もった雪は下層部分がしまって少し硬くなり、この雪の層を操作腕で引き寄せることはとても出来ない相談に思われる。また円筒形での雪捨ては少量の場合は何とかなるにしても大量の雪すての時は円筒形の中の雪が地上にたまった雪とつながり流れが止まってしまうという現象が生ずる。普通の家の屋根のしかも一階部分の下屋の高さは２メ−トルちょっと位よりないので、地上にたまる積雪の高さがどんどん高くなることを考え円筒形の使用は不向きであることに気づくべきである。
【非特許文献】
【０００８】
【非特許文献１】実用新案第３０４３９５６号公報  台状の雪降ろし具本体と滑雪用帯状シ−トを組み合わせた器具で一見雪の滑り台を連想させるような器具である。台状の雪降ろし具本体が敷設されているので、屋根の傾斜部分が長く縦に二台以上並べて作業をしたいときでも一台分より利用できないという欠点をもっている器具のように思われる。もう一つは筒状のシートを台状から利用する場合、雪を乗せるところが台状だけになるので作業範囲がせまくなることと、筒状シ−トを下屋の下に垂らして使用する場合は、前記特許の例のような難点を伴うことになるので、豪雪地帯での使用は適していないのではないかと思われる。  なお、二つの文献で共通しているのは滑雪用の部品としてシートを利用しているが、雪の滑りがもっとよい部材の選択がなかったのかどうかである。夏期の保存はたたむ事が出来るシ−トの方が便利であることはよくわかるが、雪の滑り具合がこの用具の命と考えることの方が重要ことではないでしょうか。
【考案の概要】
【考案が解決しようとする課題】
【０００９】
屋根の雪降ろしは前出の「特許の文献１」や「実用新案１」でも述べているようにスコップ等での雪の投げ降ろし下屋近くではそんなでなくても棟に近ずくにつれて雪を投げ捨てる距離が遠くなるので重労働になり大変な作業としてあげられている。この重労働の他にも高所の作業として危険が伴うことから敬遠されているむきもある。
現在ではスノ−ダンプを屋根の上に上げて作業の効率をあげていることもあるが、何かもっとよい方法がないものかということが課題である。
これらは次のような課題としてまとめることができる。
１．  普通の屋根は斜度があるので傾斜を利用できる用具の開発。
２．現代では無落雪の屋根として斜度のない屋根も多く見られるようになったが豪雪地帯
では積雪が１メートルちかくなれば、地震のこともあるので斜度のない屋根の雪降ろし
に応用できる用具の開発。
３．もっと高い塔などの屋根などにも応用できる用具の開発。
上記１、２、３について基本の用具は同じ用具を利用し、あとはそれぞれの屋根に合わ
せた付属品の追加で幅広い用具の開発を図る。
【課題を解決するための手段】
【００１０】
高低差と斜度を利用して雪を流す器具の開発であるが、「技術分野」と「背景技術」の項
にも記載しているように金属製の４メ−トルの物干しバー二本とポリカーボネート樹脂で製造された１．８メ−トルの波板二枚の組み合わせで構成された一組の「雪流し器具」は雪流し部分が３．５メ−トル・幅0.7メ−トルの器具として活用されることになる。この「雪流し器具」を四組用意しておけば、かなり広いと思われる家屋の屋根雪でも安全に手際よく降ろすことが可能である。一般の家屋といっても色々な構造があり、その構造の特徴に合わせて作業を進めた方か作業効率を高めることができるのでそのことを申し述べたい。
１． 戦後の家屋の屋根の斜度は建築上のことからかかなり低くなってきている。このように低い斜度の屋根の雪でもポリカーボネート樹脂の波板は雪の滑りよさで十分流すことが可能である。
２．屋根の面積が広く長い場合や片流れ屋根などのように長い場合は雪捨ての位置などによって「雪流し器具」の何組かを直線方向やジグザグ方向に並べて利用することで効率よく雪降ろしができる。
３．一階と二階に屋根がある建物では、二階の屋根から直接地上へ雪を降ろす方法と一階の屋根を経由して降ろす方法があるが、この場合にも一階の屋根に一旦降ろしその後地上へ降ろす方法と「雪流し器具」を利用して二階の屋根から一階の屋根を経由して直接地上へ降ろす方法もあるので、これは屋根の構造と雪降ろしの場所の関連と作業効率を考えて決められることになる。
４．無落雪の屋根の場合は斜度がないので・・・と思われる方も多いのではないかと推測
出来ますが、補助具を利用して「雪流し器具」へ斜度をつくってくれれば雪を流すことが可能になり効率のよい雪降ろしが出来るようになる。
５．塔のような高い屋根の雪降ろしは普通プロの作業員にお願いすることになると思いますがこのプロの人達も「雪流し器具」を利用すればより安全で効率のよい作業が出来るようになるものと思う。
【考案の効果】
【００１１】
１．原理は高低差を利用した雪の滑りの活用である。
２．ポリカーボネート樹脂で精製された波板の滑りのよさである。
３．波板の平行な波の効果で流れる雪の団塊が流し器具から外れることなく方向変換もジグザグも正確に流れてくれるので作業効率を高めてくれる。
４．屋根が平面(無落雪の屋根)でも補助具などの工夫で斜度をつくり雪を流すことが可能
である。
５．雪の流し器具一台分の長さであれば補助具などの工夫で逆方向への雪の流れをつくることが可能である。
上記の五つのことを組み合わせて雪の流し器具を活用すれば、その応用範囲が広くなり
考案の効果が抜群に発揮されることになる。
【図面の簡単な説明】
【００１２】
【図１】雪流し器具の斜視図
【図２】雪流し器具の補助具の斜視図
【図３】雪流し器具の流れ防止棒
【考案を実施するための形態】
【００１３】
屋根の雪降ろしではスコップかスノ−ダンプが主流で屋根雪を屋根の斜度を利用して降ろすという発想には気付いていないか或いは気付いていてもどのようにしたら実現できるかについての発想が出来ていないのかも知れない。私がこの雪を滑らせる器具を作って利用してから相当な年数がたっており、一時期は道路上に雪滑り器具を臨時に設置し(もちろん道路上だからこの下を乗用車やトラックなども通過できるような高さにセットしていた）空き地まで屋根雪を流したこともあったがこれには誰もが「すごいな]と思っていたようですがどなたも真似をしなかつた。「近所の発明おじさんのことだから私たちには関係がないこと〉という感じだった。
雪橇の特許を取得したあと全国のどなたかがこの雪滑り器具の登録を特許庁に申請して
いるかどうかについて発明教会で先行調査を依頼したところシ−トでの雪流し器具が二件
ありましたが屋根雪に関するものとしては規模も小さく雪捨て部分では実用的でないこととシ−トの雪の滑り具合に難点みられたので、今回実用新案として登録を申請することにしたものである。
特許庁に登録されれば公報で紹介されることになるので、多くの方々の眼に触れる機会
も多くなり市場に出回るようになれば安全で効率のよい屋根雪の除去法に気付き、興味を
示す人達もでてくることと、プロの屋根雪の除去作業員やこのごろ各市町村の雪降ろしボランテァの人達にも利用して貰えるようになれば社会の為にも役立つものと思う。
【実施例１】
【００１４】
私の家とお互いに裏側で接している住宅は現在１００歳になる方の住宅ですが7年位前から娘さんご夫妻の世話で市内の老人ホ−ムにに入居しております。この方が自分の住宅に住んでいた頃から本人と娘さんのご夫妻との話合いで冬の屋根雪の除雪と風水害・地震などのときには私から娘さんのご夫妻に連絡をとることで約束をしておりました。
条件は広い土地なので本人の屋根の雪は家屋の周りに降ろすだけでだけでよくそれに私の家の屋根雪もこの土地に降ろしてもよい(春になればとけてしまうので)ということでした。
このため前には私の自宅の屋根雪は公道の上に「雪流し器具」を渡して空き地に流していましたが今では直接隣の土地に流すことがでますので私の方でも大助かりです。
隣の家の二階の屋根の合掌の棟の方向が下を通っている公道と平行になっているので,この公道側の屋根雪を素直に斜面を利用して公道へ降ろした方が楽な作業になるが公道上に降ろした雪はその日のうちに運ばなければならないので、かえって重労働につながることになります。
このような時、この四組の「雪流し器具」が威力を発揮してくれます。公道側の軒先だけの少しの雪だけを公道側へ降ろし残りの大部分の雪をこの四組の「雪流し器具」を補助具を利用しながら逆流れ(斜面の下側を棟木よりより少し高くセットすればよい)で軒先に
近くなるほどスコップでの持ち上げが高くなるがその後の仕事か゛なくなるので仕事の時間短縮と体力の消耗が少なく終了することができる。このときは一階の屋根に二枚の「雪流し器具」を使用し、こちらはほとんど固定状態で使用し二階の一枚はやや固定状態，他の一枚はフル稼働というテクニックで作業が進められている。
一人での作業なので普通の方法で仕事をした場合数日かかるところを一日ちょっとで完了させている。
【実施例２】
【００１５】
私の家は片流れの屋根で約８メートル×１２メートル位ですかこの屋根の雪を隣の土地の屋敷へ流すため四組の「雪流し器具」を直線方向と右折方向への組み合わせでつなぎ、これで雪を流しての雪降ろしである。
結構長い屋根ですが一回に四枚をならべるのでなく、低い位置からの作業で徐々に枚数を増やし最終的には四枚すべてを利用することになり、更に高い位置から一枚づつはずして最後の一枚で終わりになる。このかん一番低い位置では高低差がなくなるので補助具を利用し斜度を作りながらの作業になる。
雪流し器具に雪を入れるのは器具のすぐ横からになるので体力の消耗は少なく、最初の軒先の部分を除いて屋根の中での作業になるので、危険も少なく安全な作業が続行できる。
但し平常であればなんともないが、地震等のこともあるので「命綱」の着用を忘れてはならない。
【産業上の利用可能性】
【００１６】
１．雪流し器具は結構高くつくことと保管場所等のこともあるので、個人の所有は多少無理があるかもしれないが一度用意すれば数年間利用ができるので町会等で用意し共同利用することにすればお互い助かるのではないだろうか。
２．プロの人達では時間の短縮と労力の削減、安全性の確保のためにも是非用意し、作業効率を高めた方が企業のためにも役立つのではないだろうか。
３．現代は後期高齢者の一人暮らしの家庭も多くなり、今後まだまだ増えていくことが予想されている.各市町村では役場職員のボランテアやべつにボランテアを募集して除雪作業に当たらせているところも多く見られるようになっている。
各市町村では毎年雪の作業が続くことを考えてスコップ、雪ベラ、スノ−ダンプなどに加えて雪流し器具を予算で購入し、安全と作業の効率化を高めればもっと広く困っている方々を救うことが可能になるように思われる。
【符号の説明】
【００１７】
１  金属製の物干しバ−
２  ポリカーボネートの波板
３  雪流し器具の補助具
４  雪流し器具のひもつきの流れ防止棒
【図１】
0003185042.tif 000003
【図２】
0003185042.tif 000004
【図３】
0003185042.tif 000005
【手続補正書】
【提出日】平成25年4月23日(2013.4.23)
【手続補正１】
【補正対象書類名】実用新案登録請求の範囲
【補正対象項目名】請求項１
【補正方法】変更
【補正の内容】
【請求項１】
長さ４メートルの金属製の物干しバー二本と、ポカーボネート樹脂で製造された1.8メートルの波板二枚で構成され、屋根の雪を斜度を利用し滑らせて降ろす雪流し器具であって、
長さ方向に連結された前記二枚の波板の幅方向各側部に、前記物干しバーそれぞれ連結させたことを特徴とする雪流し器具。
【手続補正２】
【補正対象書類名】実用新案登録請求の範囲
【補正対象項目名】請求項３
【補正方法】変更
【補正の内容】
【請求項３】
無落雪屋根のように斜度の小さい屋根や斜度の逆方向へ雪を滑らせて降ろす時に利用する折りたたみ式の三角台と各雪流し器具の流れ防止棒という補助具を備えた請求項１又は２に記載の雪流し器具。
【手続補正書】
【提出日】平成25年6月3日(2013.6.3)
【手続補正１】
【補正対象書類名】実用新案登録請求の範囲
【補正対象項目名】請求項１
【補正方法】変更
【補正の内容】
【請求項１】
長さ４メートルの金属製の物干しバー二本と、ポリカーボネート樹脂で製造された1.8メートルの波板二枚で構成され、屋根の雪を斜度を利用し滑らせて降ろす雪流し器具であって、長さ方向に連結された前記二枚の波板の幅方向各側部に、前記物干しバーをそれぞれ連結させたことを特徴とする雪流し器具。